(57)【要約】【課題】吸収性物品が多少ズレた状態で着用されても、身体形状へのフィット性に優れることで着用者の肌との間に隙間を生じ難く、肌側シートの表面を流れる液流れを防止し、十分な吸収性能が発現できる吸収性物品を提供すること。【解決手段】本発明の吸収性物品１は吸収性コア４１を備える。吸収性コア４１は、前方区域Ａ側の第一領域４１Ｆ及び後方区域Ｃ側の第二領域４１Ｒとの間に中間領域４１Ｍを有し、中間領域４１Ｍに第一領域４１Ｆ及び第二領域４１Ｒよりも厚みの厚い中高部４２を備える。線状圧搾溝７が、前方区域Ａ側に縦方向に延びる前方圧搾溝７１と、後方区域Ｃ側に縦方向に延びる後方圧搾溝７２とを有する。排泄対向区域Ｂでは前方圧搾溝７１と後方圧搾溝７２とが溝として繋がっていない非溝部分７Ｎを有する。前方圧搾溝７１及び後方圧搾溝７２は、吸収性コア４１における中高部４２との境界部分ＢＬと交差する。【選択図】図１
2018068440.tif 000002
【特許請求の範囲】
【請求項１】
肌対向面を形成する肌側シートと、非肌対向面を形成する非肌側シートと、これら両シート間に介在され、着用者の前後方向に対応する縦方向に長い形状の吸収性コアとを備え、着用者の液排泄部に対向配置される排泄対向区域と、該排泄対向区域の縦方向の前後に配置された前方区域及び後方区域とに区分された吸収性物品であって、
前記吸収性コアは、前記前方区域側に位置する第一領域及び前記後方区域側に位置する第二領域との間に中間領域を有し、該中間領域には、該第一領域及び該第二領域における厚みよりも、厚みの厚い中高部を備えており、
前記中高部は、前記吸収性コアを平面視して、該吸収性コアの縦方向と直交する横方向における長さが最大となる最大幅部を有し、該最大幅部での横方向の長さが、前記吸収性コアの該横方向の長さと同じであり、
前記肌側シートと前記吸収性コアとが圧搾一体化された線状圧搾溝として、前記前方区域側において縦方向に延びる一対の前方圧搾溝と、前記後方区域側において縦方向に延びる一対の後方圧搾溝とを有し、前記排泄対向区域においては各該前方圧搾溝と各該後方圧搾溝とが溝として繋がっていない非溝部分を有し、
一対の前記前方圧搾溝と一対の前記後方圧搾溝とは、それぞれ、前記吸収性コアにおける前記中高部と該中高部以外の部分との境界部分と交差している、吸収性物品。
【請求項２】
前記線状圧搾溝の前記非溝部分が、前記吸収性物品の中心位置を通って横方向に平行に延びる横中心線上に配されている、請求項１に記載の吸収性物品。
【請求項３】
一対の前記前方圧搾溝は、それぞれ、前記吸収性コアの前記境界部分から前記前方区域側に延在する前方区域側圧搾溝と、前記吸収性コアの前記境界部分から前記中高部側に延在する前方中高圧搾溝とを有し、
一対の前記後方圧搾溝は、それぞれ、前記吸収性コアの前記境界部分から前記後方区域側に延在する後方区域側圧搾溝と、前記吸収性コアの前記境界部分から前記中高部側に延在する後方中高圧搾溝とを有し、
一対の前記前方区域側圧搾溝及び一対の前記後方区域側圧搾溝は、それぞれ、横方向外方に向かって凸の曲線状となっている、請求項１又は２に記載の吸収性物品。
【請求項４】
一対の前記前方圧搾溝は、それぞれ、前記吸収性コアの前記境界部分から前記前方区域側に延在する前方区域側圧搾溝と、前記吸収性コアの前記境界部分から前記中高部側に延在する前方中高圧搾溝とを有し、
一対の前記後方圧搾溝は、それぞれ、前記吸収性コアの前記境界部分から前記後方区域側に延在する後方区域側圧搾溝と、前記吸収性コアの前記境界部分から前記中高部側に延在する後方中高圧搾溝とを有し、
一対の前記前方中高圧搾溝及び一対の前記後方中高圧搾溝は、それぞれ、前記吸収性コアの前記境界部分から前記排泄対向区域における中心位置に向かって延びる部分を有している、請求項１〜３の何れか１項に記載の吸収性物品。
【請求項５】
一対の前記前方圧搾溝は、それぞれ、前記吸収性コアの前記境界部分から前記前方区域側に延在する前方区域側圧搾溝と、前記吸収性コアの前記境界部分から前記中高部側に延在する前方中高圧搾溝とを有し、
一対の前記後方圧搾溝は、それぞれ、前記吸収性コアの前記境界部分から前記後方区域側に延在する後方区域側圧搾溝と、前記吸収性コアの前記境界部分から前記中高部側に延在する後方中高圧搾溝とを有し、
一対の前記前方中高圧搾溝及び一対の前記後方中高圧搾溝は、それぞれ、横方向内方に向かって凸の曲線状となっている、請求項１〜４の何れか１項に記載の吸収性物品。
【請求項６】
前記吸収性物品は、その縦方向に沿う左右両側から外方に延出する一対のウイング部を備え、
横方向内方に向かって凸の曲線状を描く一対の前記前方中高圧搾溝の頂部、及び横方向内方に向かって凸の曲線状を描く一対の前記後方中高圧搾溝の頂部の少なくとも一方が、一方の前記ウイング部の縦方向に沿う付け根と他方の前記ウイング部の縦方向に沿う付け根とに挟まれた領域の内側に配されている、請求項５に記載の吸収性物品。
【請求項７】
一対の前記前方圧搾溝は、それぞれ、前記吸収性コアの前記境界部分から前記前方区域側に延在する前方区域側圧搾溝と、前記吸収性コアの前記境界部分から前記中高部側に延在する前方中高圧搾溝とを有し、
一対の前記後方圧搾溝は、それぞれ、前記吸収性コアの前記境界部分から前記後方区域側に延在する後方区域側圧搾溝と、前記吸収性コアの前記境界部分から前記中高部側に延在する後方中高圧搾溝とを有し、
一対の前記前方中高圧搾溝は、それぞれ、その前記肌側シート側からの深さが、前記前方区域側圧搾溝の前記肌側シート側からの深さよりも深く、
一対の前記後方中高圧搾溝は、それぞれ、その前記肌側シート側からの深さが、前記後方区域側圧搾溝の前記肌側シート側からの深さよりも深い、請求項１〜６の何れか１項に記載の吸収性物品。
【請求項８】
前記吸収性コアを平面視して、前記第一領域及び前記第二領域には、縦方向及び横方向に延びる溝部と、該溝部によって区画化されて形成された複数の小吸収部とが配されており、該小吸収部は該溝部の坪量よりも坪量が高い、請求項１〜７の何れか１項に記載の吸収性物品。
【請求項９】
前記吸収性コアを平面視して、前記第一領域の形状と前記第二領域の形状とが、横方向に延びる前記吸収性物品の二等分線に対して、非対称であり、
前記吸収性物品を平面視して、一対の前記前方圧搾溝の形状と一対の前記後方圧搾溝の形状とが、前記二等分線に対して、非対称である、請求項１〜８の何れか１項に記載の吸収性物品。
【請求項１０】
前記線状圧搾溝は、前記前方区域に横方向に延びる前方横圧搾溝と、前記後方区域に横方向に延びる後方横圧搾溝とを有している、請求項１〜９の何れか１項に記載の吸収性物品。
【請求項１１】
前記前方横圧搾溝及び前記後方横圧搾溝は、それぞれ、縦方向外方に向かって凸の曲線状となっており、
前記線状圧搾溝は、一対の前記前方圧搾溝の間に前記前方横圧搾溝が配され、該前方横圧搾溝の端と該前方圧搾溝の端とが繋がっており、一対の前記後方圧搾溝の間に前記後方横圧搾溝が配され、該後方横圧搾溝の端と該後方圧搾溝の端とが繋がっており、
前記中高部は、前記吸収性コアを平面視して、該吸収性コアの縦方向に直交する横方向の全長に亘って延在し且つ該吸収性コアの縦方向に沿う両側縁に従って縦方向に所定の長さに延在する中高中央部、該中高中央部の縦方向の前端部から前記第一領域側に向かって凸の１個の前方側凸部、及び該中高中央部の縦方向の後端部から前記第二領域側に向かって凸の１個の後方側凸部を有しており、
前記吸収性物品を平面視して、前記吸収性コアの前記前方側凸部の頂部に対応する位置に、縦方向外方に向かって凸の曲線状を描く前記前方横圧搾溝の頂部が配されているか、又は、前記吸収性コアの前記後方側凸部の頂部に対応する位置に、縦方向外方に向かって凸の曲線状を描く前記後方横圧搾溝の頂部が配されている、請求項１０に記載の吸収性物品。
【請求項１２】
前記吸収性物品は、その縦方向に沿う左右両側から外方に延出する一対のウイング部を備え、
一方の前記ウイング部の縦方向に沿う付け根と他方の前記ウイング部の縦方向に沿う付け根とに挟まれた領域の内側に、前記吸収性コアにおける前記中高部と該中高部以外の部分との境界部分と一対の前記前方圧搾溝とが交差している交点、及び該境界部分と一対の前記後方圧搾溝とが交差している交点の少なくとも一方が配されている、請求項１〜１１の何れか１項に記載の吸収性物品。
【発明の詳細な説明】
【技術分野】
【０００１】
本発明は、生理用ナプキン、失禁パッド等の吸収性物品に関する。
【背景技術】
【０００２】
従来、生理用ナプキン等の吸収性物品においては、排せつ液量が多い場合などでは、日常の生活行動の中においても液漏れに繋がる場合があった。そのため、本出願人は、吸収性物品の吸収性コアにおいて、着用者の液排泄部に対向配置される排泄対向区域の中央部分に坪量の大きい中高部分を設けることにより液漏れを防ぐ方法を提案した（例えば特許文献１）。
【０００３】
例えば、特許文献１では、吸収性物品の吸収性コアにおいて、排泄対向区域の中央部分に坪量の大きい排泄部中高領域を設け、排泄部中高領域が、長手方向に長軸を有する中央肉厚部と、中央肉厚部の長手方向に沿う両側縁それぞれから外方に膨出する側方肉厚部とを有する技術を提案した。特許文献１に記載の吸収性物品によれば、装着感の向上を図り、液漏れを防止することができる。また、装着位置が多少ズレても吸収性能を発現できる。
【先行技術文献】
【特許文献】
【０００４】
【特許文献１】特開２０１５−９７７１６号公報
【発明の概要】
【発明が解決しようとする課題】
【０００５】
しかし、特許文献１に記載の吸収性物品においては、着用の際に吸収性物品を身体の適正な位置に着用できなければ、身体の前後方向や左右の幅方向に着用位置ズレが発生する場合があり、特許文献１に記載の吸収性物品の効果を十分に得られない場合があった。このように特許文献１に記載の吸収性物品には、更なる改良の余地があった。
【０００６】
したがって本発明は、前述した従来技術が有する欠点を解消し得る吸収性物品を提供することにある。
【課題を解決するための手段】
【０００７】
本発明は、肌対向面を形成する肌側シートと、非肌対向面を形成する非肌側シートと、これら両シート間に介在され、着用者の前後方向に対応する縦方向に長い形状の吸収性コアとを備え、着用者の液排泄部に対向配置される排泄対向区域と、該排泄対向区域の縦方向の前後に配置された前方区域及び後方区域とに区分された吸収性物品であって、前記吸収性コアは、前記前方区域側に位置する第一領域及び前記後方区域側に位置する第二領域との間に中間領域を有し、該中間領域には、該第一領域及び該第二領域における厚みよりも、厚みの厚い中高部を備えており、前記中高部は、前記吸収性コアを平面視して、該吸収性コアの縦方向と直交する横方向における長さが最大となる最大幅部を有し、該最大幅部での横方向の長さが、前記吸収性コアの該横方向の長さと同じであり、前記肌側シートと前記吸収性コアとが圧搾一体化された線状圧搾溝として、前記前方区域側において縦方向に延びる一対の前方圧搾溝と、前記後方区域側において縦方向に延びる一対の後方圧搾溝とを有し、前記排泄対向区域においては各該前方圧搾溝と各該後方圧搾溝とが溝として繋がっていない非溝部分を有し、一対の前記前方圧搾溝と一対の前記後方圧搾溝とは、それぞれ、前記吸収性コアにおける前記中高部と該中高部以外の部分との境界部分と交差している、吸収性物品を提供するものである。
【発明の効果】
【０００８】
本発明によれば、吸収性物品が多少ズレた状態で着用されても、身体形状へのフィット性に優れることで着用者の肌との間に隙間を生じ難く、肌側シートの表面を流れる液流れを防止し、十分な吸収性能が発現できる。
【図面の簡単な説明】
【０００９】
【図１】図１は、本発明の吸収性物品の好ましい第１実施形態の生理用ナプキンの肌対向面側（肌側シート側）を示す平面図である。
【図２】図２は、図１に示す生理用ナプキンの有する吸収性コアにおける肌対向面側の平面図である。
【図３】図３は、図２のＩＩＩ−ＩＩＩ線断面を模式的に示す断面図である。
【図４】図４は、図２のＩＶ−ＩＶ線断面を模式的に示す断面図である。
【図５】図５（ａ）ないし図５（ｂ）は、図１に示す生理用ナプキンの備える吸収性コアの製造工程を説明する説明図である。
【図６】図６は、本発明の吸収性物品の好ましい第２実施形態の生理用ナプキンの肌対向面側（肌側シート側）を示す平面図である。
【発明を実施するための形態】
【００１０】
以下、本発明の吸収性物品を、その好ましい一実施形態である生理用ナプキン１（以下、「ナプキン１」とも言う。）に基づき図面を参照して説明する。図１には、第１実施形態のナプキン１を肌側シート側から視た平面図が示されている。第１実施形態のナプキン１は、図１に示すように、肌対向面を形成する肌側シート２と、非肌対向面を形成する非肌側シート３と、これら両シート２,３間に介在され、着用者の前後方向に対応する縦方向Ｘに長い形状の吸収性コア４１を備える。ナプキン１は、図１に示すように、着用者の液排泄部に対向配置される排泄対向区域Ｂと、該排泄対向区域Ｂの縦方向Ｘの前後に配置された前方区域Ａ及び後方区域Ｃとに区分されている。
【００１１】
本明細書において、縦方向Ｘは、着用者の前後方向に対応しており、吸収性物品（ナプキン１）の長手方向に一致し、横方向Ｙは、吸収性物品（ナプキン１）の幅方向（長手方向に直交する方向）に一致している。したがって、特段の断りがない場合には、本明細書において、長手方向（縦方向Ｘ）の長さは、縦方向Ｘで測定される距離である「長さ」を意味し、横方向Ｙの長さは、横方向Ｙで測定される距離である「幅」を意味する。ナプキン１は、縦方向Ｘに延びる中心線ＣＬ１に対して左右対称に形成されている。縦方向Ｘとは、中心線ＣＬ１に平行な方向でもある。また、本明細書において、肌対向面は、吸収性物品（ナプキン１）又はその構成部材である例えば吸収体４における、吸収性物品（ナプキン１）の着用時に着用者の肌側に向けられる面であり、非肌対向面は、吸収性物品（ナプキン１）又はその構成部材である例えば吸収体４における、吸収性物品（ナプキン１）の着用時に肌側とは反対側（着衣側）に向けられる面である。
【００１２】
ナプキン１は、着用時に着用者の液排泄部（膣口等）に対向配置される排泄対向区域Ｂと、該排泄対向区域Ｂよりも着用者の腹側（前側）寄りに配される前方区域Ａと、該排泄対向区域Ｂよりも着用者の背側（後側）寄りに配される後方区域Ｃとを有している。即ち、ナプキン１は、縦方向Ｘに、前方区域Ａ、排泄対向区域Ｂ及び後方区域Ｃの順番で区分される。
【００１３】
尚、本発明の吸収性物品において、排泄対向区域Ｂとは、第１実施形態のナプキン１のようにウイング部１Ｗを有する場合には、縦方向Ｘにおいてウイング部１Ｗを有する領域（一方のウイング部１Ｗの縦方向Ｘに沿う付け根と他方のウイング部１Ｗの縦方向Ｘに沿う付け根とに挟まれた領域）を意味する。また、ウイング部を有しない吸収性物品の場合には、吸収性物品が３つ折りの個装形態に折り畳まれた際に生じる、該吸収性物品を横方向Ｙに横断する２本の折曲線（図示せず）について、該吸収性物品の縦方向Ｘの前端から数えて第１折曲線と第２折曲線とに囲まれた領域を意味する。
【００１４】
第１実施形態のナプキン１は、図１に示すように、肌対向面を形成する液透過性の肌側シート２、非肌対向面を形成する非肌側シート３、及びこれら両シート２，３間に介在された吸収体４を具備している。吸収体４は、吸収性コア４１と、該吸収性コア４１を包むコアラップシート（不図示）とから構成されている。
【００１５】
ナプキン１では、肌側シート２は、図１に示すように、吸収体４の肌対向面の全域を被覆し、吸収体４の縦方向Ｘに沿う両側縁から横方向Ｙの外方に延出している。一方、非肌側シート３は、吸収体４の非肌対向面の全域を被覆し、更に肌側シート２の縦方向Ｘに沿う両側縁から横方向Ｙの外方に延出して、後述するサイドシート５と共にサイドフラップ部１Ｓを形成している。非肌側シート３とサイドシート５とは、吸収体４の縦方向Ｘに沿う両側縁からの延出部において、接着剤、ヒートシール、超音波シール等の公知の接合手段によって互いに接合されている。尚、肌側シート２及び非肌側シート３それぞれと吸収体４との間は接着剤によって接合されていてもよい。
【００１６】
ナプキン１では、サイドシート５は、図１に示すように、肌側シート２の肌対向面における縦方向Ｘに沿う両側部に配されている。好適には、サイドシート５は、平面視において肌側シート２の縦方向Ｘに沿う左右両側部に重なるように、肌側シート２の縦方向Ｘの全長に亘って配されている。
【００１７】
ナプキン１では、一対のサイドシート５，５は、それぞれ、図１に示すように、接合部６にて肌側シート２に接合されている。曲線による横方向Ｙへの凹凸を交互に縦方向Ｘに連続して配した波状の接合部６は、平面視において、中心線ＣＬ１を中心として横方向Ｙに対称に一対配されている。このように、サイドシート５が、波状の接合部６にて肌側シート２に接合されて固定されると、波状に配された接合部６の接合部群よりも横方向Ｙの内方に、サイドシート５と肌側シート２とで画成される空間部が形成される。この空間部は、中心線ＣＬ１に向けて開口しているので、横方向Ｙの中央から外方へ流れる経血等の体液が該空間部に収容されるようになり、結果として体液の漏れが効果的に防止できる。
【００１８】
ナプキン１では、サイドフラップ部１Ｓは、図１に示すように、排泄対向区域Ｂにおいて横方向Ｙの外方に向かって大きく張り出しており、これによりナプキン１は、その縦方向Ｘに沿う左右両側から外方に延出する一対のウイング部１Ｗ，１Ｗを備えるようになる。ウイング部１Ｗは、ショーツ等の着衣のクロッチ部の非肌対向面側に折り返されて用いられるものである。また、肌側シート２及び非肌側シート３は、図１に示すように、吸収体４の縦方向Ｘの前端及び後端それぞれから縦方向Ｘの外方に延出し、それらの延出部において、接着剤、ヒートシール、超音波シール等の公知の接合手段によって、互いに接合されてエンドシール部を形成している。
【００１９】
ナプキン１では、吸収体４を構成する吸収性コア４１は、図２に示すように、縦方向Ｘの前方区域Ａ側に位置する第一領域４１Ｆ及び後方区域Ｃ側に位置する第二領域４１Ｒを有し、第一領域４１Ｆと第二領域４１Ｒとの間に中間領域４１Ｍを有している。ナプキン１では、吸収性コア４１の中間領域４１Ｍと排泄対向区域Ｂは、縦方向において一致している。中間領域４１Ｍには、第一領域４１Ｆ及び第二領域４１Ｒにおける厚みよりも厚みの厚い中高部４２を備えている。したがって、ナプキン１では、吸収性コア４１の中間領域４１Ｍは、排泄対向区域Ｂに配置されている。ナプキン１では、中間領域４１Ｍに中高部４２を有しており、縦方向において、中間領域４１Ｍの長さと中高部４２の長さとが一致している。
【００２０】
ナプキン１のように、横方向Ｙ両外側に一対のウイング部１Ｗを備える場合には、各ウイング部１Ｗにおける縦方向Ｘに間隔を空けて配されたウイング部１Ｗの付け根どうし間に中間領域４１Ｍが存在している。より具体的には、ナプキン１の排泄対向区域Ｂは、各ウイング部１Ｗにおける縦方向Ｘに間隔を空けて配されたウイング部１Ｗの付根どうし間に亘って存在している。尚、ナプキン１の前方区域Ａの大きさと吸収性コア４１の第一領域４１Ｆの大きさとが略一致しており、ナプキン１の後方区域Ｃの大きさと吸収性コア４１の第二領域４１Ｒの大きさとが略一致している場合には、ナプキン１の中間領域４１Ｍの縦方向Ｘの長さは、各ウイング部１Ｗにおける縦方向Ｘに間隔を空けて配されたウイング部１Ｗの付根どうし間の長さと同一である。
【００２１】
また、ナプキン１では、吸収性コア４１は、ナプキン１の縦方向Ｘと同方向に長い形状を有する。したがって、吸収性コア４１の縦方向は、ナプキン１の縦方向Ｘと同方向であり、吸収性コア４１の横方向は、ナプキン１の横方向Ｙと同方向である。
【００２２】
中間領域４１Ｍの備える中高部４２は、その厚みが、図３に示すように、吸収性コア４１における第一領域４１Ｆの厚みよりも厚く形成されている。また、中高部４２は、その厚みが吸収性コア４１における第二領域４１Ｒの厚みよりも厚く形成されている。好適に、ナプキン１では、中高部４２は、吸収性コア４１における第一領域４１Ｆの厚みよりも厚みが厚く形成されており、且つ、吸収性コア４１における第一領域４１Ｆの坪量よりも坪量が高く形成されている。また、好適には、ナプキン１では、中高部４２の厚みは、吸収性コア４１における第二領域４１Ｒの厚みよりも厚みが厚く形成されており、且つ、吸収性コア４１における第二領域４１Ｒの坪量よりも坪量が高く形成されている。中高部４２の厚み及び坪量と比較する第一領域４１Ｆ及び第二領域４１Ｒのそれぞれの厚み及び坪量は、第一領域４１Ｆ及び第二領域４１Ｒに後述する溝部４５が形成されている場合には、第一領域４１Ｆ及び第二領域４１Ｒにおける溝部４５が存在しない部分における厚み及び坪量を意味する。ナプキン１の吸収性コア４１は、コア材料の坪量に差を設けて厚み差を設けてあるため、坪量の均一な吸収性コアの一部を圧縮して厚み差を設ける場合とは異なり、吸収性コア４１は、全体として柔軟である。
【００２３】
中高部４２の厚みは、中高部４２を肌に向かって突出させて、吸収性コア４１の液の吸収性等を向上させる観点から、吸収性コア４１における第一領域４１Ｆ及び第二領域４１Ｒの厚みの、好ましくは１２０％（即ち、１．２倍）以上、より好ましくは１４０％以上であり、また、好ましくは、７００％以下、より好ましくは、５００％以下であり、また、着用時における身体への追従性や違和感を抑える観点から、好ましくは１２０％以上７００％以下、より好ましくは１４０％以上５００％以下である。また、中高部４２の厚みと第一領域４１Ｆ又は第二領域４１Ｒの厚みとの厚みの差（前者−後者）は、好ましくは１．０ｍｍ以上、より好ましくは２．０ｍｍ以上であり、また、好ましくは８．０ｍｍ以下、より好ましくは６．０ｍｍ以下であり、また、好ましくは１．０ｍｍ以上８．０ｍｍ以下、より好ましくは２．０ｍｍ以上６．０ｍｍ以下である。上述した構成は、第１実施形態のナプキン１のように中高部４２が排泄対向区域Ｂに設けられているときに、特に有効である。
具体的に、中高部４２の厚みは、好ましくは２．０ｍｍ以上、より好ましくは３．０ｍｍ以上であり、また、好ましくは１０．０ｍｍ以下、より好ましくは７．０ｍｍ以下であり、また、好ましくは２．０ｍｍ以上１０．０ｍｍ以下、より好ましくは３．０ｍｍ以上７．０ｍｍ以下である。なお、中高部４２の全範囲において上記厚みの関係になっていることが好ましいが、中高部４２の厚み方向に増減が設けられているような場合においては、最も厚い部分において上記の関係となっていればよい。
なお、中高部４２の全範囲において上記厚みの関係になっていることが好ましいが、中高部４２の厚み方向において、横方向Ｙ又は縦方向Ｘ又は、その両方向に漸次的な厚み増減が設けられているような場合においては、最も厚い部分において上記の関係となっていればよい。
具体的に、第一領域４１Ｆ又は第二領域４１Ｒの厚みは、好ましくは０．５ｍｍ以上、より好ましくは１．０ｍｍ以上であり、また、好ましくは７．０ｍｍ以下、より好ましくは３．５ｍｍ以下であり、また、好ましくは０．５ｍｍ以上７．０ｍｍ以下、より好ましくは１．０ｍｍ以上３．５ｍｍ以下である。
ナプキン１では、第一領域４１Ｆ又は第二領域４１Ｒの厚みは、後述する溝部４５が存在しない部分において、略均一に形成されていることが好ましいが、第一領域４１Ｆ又は第二領域４１Ｒの横方向Ｙ又は縦方向Ｘに漸次的な厚みの増減が設けられているような場合においては、最も厚い部分において上記の関係となっていればよい。
中高部４２、第一領域４１Ｆ又は第二領域４１Ｒ、後述する中高隣接部４４等の吸収性コア４１の各部の厚みは、以下の方法によって測定される。
【００２４】
＜吸収性コア４１の各部の厚みの測定方法＞
吸収性コアを水平な場所にシワや折れ曲がりがないように静置し、該吸収性コア４１から測定対象物である中高部４２、第一領域４１Ｆ又は第二領域４１Ｒ等を切り出す。そして、切り出した測定対象物における５ｃＮ／ｃｍ2の荷重下での厚みを測定する。具体的には、厚みの測定に、例えば、厚み計 PEACOCK DIAL UPRIGHT GAUGES R5-C(OZAKI MFG.CO.LTD.製）を用いる。このとき、厚み計の先端部と切り出した測定対象物との間に、荷重が５ｃＮ／ｃｍ2となるように大きさを調整した平面視円形状又は正方形状のプレート（厚さ５ｍｍ程度のアクリル板）を配置して、厚みを測定する。吸収性コア４１における第一領域４１Ｆ又は第二領域４１Ｒ等の厚みを測定する際には、後述する溝部４５を含まないように測定する。
【００２５】
ナプキン１では、吸収性コア４１における中高部４２の坪量は、中高部４２を肌に向かって突出させ、排泄対向区域Ｂにおける吸収性コアの液の吸収性等を向上させる観点から、好ましくは１００ｇ／ｍ2以上、より好ましくは２００ｇ／ｍ2以上であり、そして、好ましくは１５００ｇ／ｍ2以下、より好ましくは１２００ｇ／ｍ2以下であり、具体的には、好ましくは１００ｇ／ｍ2以上１５００ｇ／ｍ2以下、より好ましくは２００ｇ／ｍ2以上１２００ｇ／ｍ2以下である。また、吸収性コア４１における第一領域４１Ｆの坪量又は第二領域４１Ｒの坪量は、好ましくは５０ｇ／ｍ2以上、より好ましくは１００ｇ／ｍ2以上であり、そして、好ましくは１０００ｇ／ｍ2以下、より好ましくは９００ｇ／ｍ2以下であり、具体的には、好ましくは５０ｇ／ｍ2以上１０００ｇ／ｍ2以下、より好ましくは１００ｇ／ｍ2以上９００ｇ／ｍ2以下である。第一領域４１Ｆの坪量又は第二領域４１Ｒの坪量は、上述した吸収性コア４１の各部の厚みの測定方法で説明したように切り出した第一領域４１Ｆ又は第二領域４１Ｒのサンプルの質量を、そのサンプルの肌対向面側の面の面積で除して求める。吸収性コア４１における第一領域４１Ｆの坪量又は第二領域４１Ｒ等の坪量を測定する際には、後述する溝部４５を含まないように測定する。
【００２６】
中高部４２は、図２に示すように吸収性コア４１を平面視して、吸収性コア４１の縦方向Ｘと直交する横方向Ｙにおける長さが最大となる最大幅部を有し、該最大幅部の横方向Ｙの長さが、吸収性コア４１の横方向Ｙの長さと同じである。好適には、中高部４２は、図２に示すように吸収性コア４１を平面視して、中高部４２の最大幅部が吸収性コア４１の縦方向Ｘに沿う両側縁に従って縦方向Ｘに所定の長さに延在して形成される中高中央部４２１を有している。言い換えれば、中高中央部４２１は、吸収性コア４１の縦方向Ｘに沿う両側縁４１ｓ，４１ｓ間に亘って帯状に延在しており、帯状の中高中央部４２１における縦方向Ｘの全長に亘って中高部４２の前記最大幅部を有している。中高中央部４２１の最大幅部の横方向Ｙの長さは、吸収性コア４１の幅と同一となっている。なお、ここで吸収性コア４１の幅とは、中高部４２を含めた吸収性コア４１の幅を意味する。すなわち、中高部４２を横方向Ｙに断面視したとき、隣接する第一領域４１Ｆ及び第二領域４１Ｒの肌当接面側の表面の高さ位置よりも、肌当接面側に位置する中高部４２の幅（肌側幅）が、非肌当接面側に位置する中高部４２の幅（非肌側幅）と同じ又は大きければ、中高部４２の最大幅は吸収性コア４１の幅と同一である。中高部４２の最大幅部は肌側幅と非肌側幅が略同一であることが望ましく、特に厚み方向に略均一であることが望ましい。吸収性コア４１は、吸収性物品が多少ズレた状態で着用されても、十分な吸収性能が発現できるように、中高中央部４２１の面積をできるかぎり広くすることが好ましい。このような観点から、中高中央部４２１は、最大幅部において、吸収性コア４１の縦方向Ｘに沿う両側縁４１ｓ，４１ｓ間は、一定の間隔であることが好ましく、両側縁４１ｓ，４１ｓはそれぞれ、縦方向Ｘに平行であり、且つ直線状となっていることがより好ましい。ただし、製造時における、吸収性コア４１における中高部４２の横方向Ｙの位置ズレ、中高部４２の欠け、生産方法に起因する型の抜き傾斜、端部の丸めや面取り等により、中高部４２の幅と吸収性コア４１の幅とが多少異なる程度、例えば、最大幅部の幅の５％程度の差の範囲であれば同一の幅とする。最大幅とは横方向Ｙにおける最も長い位置での距離を意味する。なお、図２においては、中高部４２の横方向Ｙにおける最大幅部での横方向Ｙの長さが、吸収性コア４１の中間領域４１Ｍにおける横方向Ｙの最大長さと同じであり、吸収性コア４１の横方向Ｙの最大長さと同じである。
【００２７】
ナプキン１では、中高部４２は、図２に示すように、吸収性コア４１の縦方向Ｘと直交する横方向Ｙの全長に亘って延在し且つ吸収性コア４１の縦方向Ｘに沿う両側縁４１ｓ，４１ｓに沿って縦方向Ｘに所定の長さに延在する中高中央部４２１を有している。中高部４２は、中高中央部４２１から前方区域Ａ側又は後方区域Ｃ側に向かって中高部４２の前記最大幅部よりも横方向Ｙの長さが狭くなっている前方側凸部４２２又は後方側凸部４２３を備えていることが好ましく、ナプキン１では、中高中央部４２１の縦方向Ｘの前端部から第一領域４１Ｆ側に向かって凸の１個の前方側凸部４２２、及び中高中央部４２１の縦方向Ｘの後端部から第二領域４１Ｒ側に向かって凸の１個の後方側凸部４２３を有している。即ち、ナプキン１では、中高部４２は、前方側凸部４２２、中高中央部４２１及び後方側凸部４２３に区分されている。ナプキン１では、中高部４２の中高中央部４２１は、図２に示すように、吸収性コア４１の縦方向Ｘに沿う両側縁４１ｓ，４１ｓ間に亘って帯状に延在している。
【００２８】
中高部４２の中高中央部４２１は、ナプキン１では、図４に示すように断面視して、横方向Ｙの中央部から縦方向Ｘに沿う両側縁部に向かって、その高さが低くなるように形成されている。即ち、中高中央部４２１における縦方向Ｘに延びる中心線ＣＬ１上に配された中央部が、最も高さが高く形成されている。このように中高中央部４２１が形成されていると、排泄対向区域Ｂにおける液の吸収性等を向上させることができる。
【００２９】
中高部４２の中高中央部４２１は、ナプキン１では、図４に示すように断面視して、横方向Ｙの中央部から縦方向Ｘに沿う両側縁部に向かって、その坪量が小さくなるように形成されている。即ち、中高中央部４２１における縦方向Ｘに延びる中心線ＣＬ１上に配された中央部が、最も坪量が大きく形成されている。このように中高中央部４２１が形成されていると、排泄対向区域Ｂにおける液の吸収性等を向上させることができる。
【００３０】
ナプキン１の中高中央部４２１は、図４に示すように断面視して、中心線ＣＬ１上に配された中央部の高さ（Ｔ１）の、最も高さの小さい側縁４１ｓでの高さ（Ｔ２）に対する比（Ｔ１／Ｔ２）は、排泄部に中高部が可能な限り隙間なく密着できる観点から、１．１以上、特に１．３以上であることが好ましく、また、着用時の違和感を与え難くする観点から、４以下、特に３以下であることが好ましく、具体的には、１．１以上４以下、特に１．３以上３以下であることが好ましい。
また、ナプキン１の中高中央部４２１は、ナプキン１に思わぬシワや折れが生じさせない観点から、少なくとも肌当接面側に、吸収性コア４１における第一領域４１Ｆ及び第二領域４１Ｒの坪量よりも坪量が低い凹部を有さない形態となっている。ここで、第一領域４１Ｆ及び第二領域４１Ｒの坪量とは、第一領域４１Ｆ及び第二領域４１Ｒが溝部４５を有する場合には、溝部４５を除いた部分の坪量を意味する。
【００３１】
また、ナプキン１では、図２に示すように、第一領域４１Ｆ側に向かって凸の前方側凸部４２２は、中高中央部４２１の前端部に１個配されている。ナプキン１では、前方側凸部４２２は、前方側凸部４２２の頂部４２２ｔが縦方向Ｘに延びる中心線ＣＬ１上に配されており、前方側凸部４２２を形成する両側辺４２２ｓ，４２２ｓが、それぞれ、頂部４２２ｔから吸収性コア４１の縦方向Ｘに沿う側縁４１ｓに亘って直線形状に延びている。その為、ナプキン１では、中間領域４１Ｍの第一領域４１Ｆ側において、中高部４２と中高部４２以外の部分との境界部分ＢＬが、直線形状に延びており、後述する前方中高境界溝部４３ａも直線形状に延びている。
【００３２】
また、ナプキン１では、図２に示すように、第二領域４１Ｒ側に向かって凸の後方側凸部４２３は、中高中央部４２１の後端部に１個配されている。ナプキン１では、後方側凸部４２３は、前方側凸部４２２と同様に、後方側凸部４２３の頂部４２３ｔが縦方向Ｘに延びる中心線ＣＬ１上に配されており、後方側凸部４２３を形成する両側辺４２３ｓ，４２３ｓが、それぞれ、頂部４２３ｔから吸収性コア４１の縦方向Ｘに沿う側縁４１ｓに亘って直線形状に延びている。その為、ナプキン１では、中間領域４１Ｍの第二領域４１Ｒ側において、中高部４２と中高部４２以外の部分との境界部分ＢＬが、直線形状に延びており、後述する後方中高境界溝部４３ｃも直線形状に延びている。
【００３３】
ナプキン１は、図１に示すように、横方向Ｙ両外側に一対のウイング部１Ｗ，１Ｗを備えている。そして、ナプキン１では、一対のウイング部１Ｗ，１Ｗにおける前方区域Ａ側に位置する付け根どうしを結ぶ前方側仮想線ＩＬａが、前方側凸部４２２を形成する両側辺４２２ｓ，４２２ｓに沿って延びる境界部分ＢＬと交差せず、前方側凸部４２２の頂部４２２ｔ上に配されているが、境界部分ＢＬと交差していてもよい。また、一対のウイング部１Ｗ，１Ｗにおける後方区域Ｃ側に位置する付け根どうしを結ぶ後方側仮想線ＩＬｃが、後方側凸部４２３を形成する両側辺４２３ｓ，４２３ｓに沿って延びる境界部分ＢＬと交差せず、後方側凸部４２３の頂部４２３ｔ上に配されているが、境界部分ＢＬと交差していてもよい。言い換えれば、ナプキン１では、ナプキン１を３つ折りの個装形態に折り畳む際に生じる、ナプキン１を横方向Ｙに横断する２本の折曲線（図示せず）について、ナプキン１の縦方向Ｘの前端から数えて１番目の第１折曲線が、前方側凸部４２２を形成する両側辺４２２ｓ，４２２ｓに沿って延びる境界部分ＢＬと交差する位置に配されてもよい。また、ナプキン１の縦方向Ｘの前端から数えて２番目の第２折曲線が後方側凸部４２３を形成する両側辺４２３ｓ，４２３ｓに沿って延びる境界部分ＢＬと交差する位置に配されていてもよい。頂部４２２ｔ，４２３ｔ上の位置にナプキン１を個装形態に折り畳む際に生じる折曲線を配することによって、折曲線上のみで深く折れることなく、境界部分ＢＬも折り起点として働きながら浅い折れが複数生成することから、ナプキン１と体との隙間が低減する。これにより、前記折曲線を伝って流れる体液の流れを防止できる。このような観点から、ナプキン１では、少なくとも前記第１折曲線が前方側凸部４２２の境界部分ＢＬと交差する位置に配されているか、又は前記第２折曲線が後方側凸部４２３の境界部分ＢＬと交差する位置に配されていることが好ましく、前記第１折曲線が前方側凸部４２２の境界部分ＢＬと交差する位置に配され、且つ、前記第２折曲線が後方側凸部４２３の境界部分ＢＬと交差する位置に配されていることが更に好ましい。
【００３４】
ナプキン１では、図２に示すように吸収性コア４１を平面視して、前方側凸部４２２は中高中央部４２１から第一領域４１Ｆ側に向かって横方向Ｙの長さが漸次狭くなっており、後方側凸部４２３は中高中央部４２１から第二領域４１Ｒ側に向かって横方向Ｙの長さが漸次狭くなっている。即ち、吸収性コア４１における前方側凸部４２２及び後方側凸部４２３は、それぞれ、縦方向Ｘに沿う両側部から横方向Ｙの中央部に位置する頂部４２２ｔ，４２３ｔに向かって、その幅ｄが漸減するように形成されている。好適に、ナプキン１の吸収性コア４１における前方側凸部４２２では、両側辺４２２ｓ，４２２ｓの間隔（幅ｄ）が、吸収性コア４１の縦方向Ｘに沿う両側縁４１ｓ，４１ｓから頂部４２２ｔに向かって漸減している。同様に、ナプキン１の吸収性コア４１における後方側凸部４２３では、両側辺４２３ｓ，４２３ｓの間隔（幅ｄ）が、吸収性コア４１の縦方向Ｘに沿う両側縁４１ｓ，４１ｓから頂部４２３ｔに向かって漸減している。ここで、幅ｄが漸減しているとは、頂部４２２ｔ，４２３ｔに向って幅ｄが連続的に少しずつ減少していることである。
【００３５】
ナプキン１における吸収性コア４１では、前方側凸部４２２及び後方側凸部４２３の内の前方側凸部４２２を例に挙げて説明すると、両側辺４２２ｓ，４２２ｓがそれぞれ屈曲せずに真っ直ぐに延びている。一方の側辺４２２ｓと縦方向Ｘに延びる中心線ＣＬ１とのなす角αは、身体形状へのフィット性及び動きの中での追従性向上の観点から、好ましくは２０°以上、より好ましくは３０°以上であり、そして、好ましくは７５°以下、より好ましくは６０°以下であり、具体的には、好ましくは２０°以上７５°以下、より好ましくは３０°以上６０°以下である。後方側凸部４２３も前方側凸部４２２と同様である。
【００３６】
中高部４２の縦方向Ｘの全長Ｌ２は、吸収性コア４１の縦方向Ｘの全長Ｌ１の、好ましくは２５％以上、より好ましくは３０％以上であり、また、好ましくは９０％以下、より好ましくは７５％以下であり、また、好ましくは２５％以上９０％以下、より好ましくは３０％以上７５％以下である。
なお、全長Ｌ１とは吸収性コア４１の縦方向Ｘにおける最も長い位置での距離を示し、全長Ｌ２とは中高部４２の縦方向Ｘにおける最も長い位置での距離を意味する。
【００３７】
中高部４２を構成する中高中央部４２１の縦方向Ｘの全長Ｌ３は、中高部４２の全長Ｌ２の好ましくは２０％以上、より好ましくは３０％以上であり、また、好ましくは８０％以下、より好ましくは７０％以下であり、また、好ましくは２０％以上８０％以下、より好ましくは３０％以上７０％以下である。
【００３８】
中高部４２を構成する前方側凸部４２２の縦方向Ｘの全長Ｌ４は、中高部４２の全長Ｌ２の、好ましくは５％以上、より好ましくは１０％以上であり、また、好ましくは５０％以下、より好ましくは３０％以下であり、また、好ましくは、５％以上５０％以下、より好ましくは１０％以上３０％以下である。中高部４２を構成する後方側凸部４２３の縦方向Ｘ全長も、前方側凸部４２２の縦方向Ｘの全長Ｌ４と同様である。
なお、全長Ｌ４とは前方側凸部４２２の縦方向Ｘにおける最も長い位置での距離を意味する。
【００３９】
ナプキン１では、図２に示すように、吸収性コア４１は、中間領域４１Ｍに中高部４２と中高部４２以外の部分との境界を区画する中高境界溝部４３を有している。中高境界溝部４３は、ナプキン１では、中高部４２を構成する前方側凸部４２２を形成する両側辺４２２ｓ，４２２ｓに沿って延在する前方中高境界溝部４３ａと、後方側凸部４２３を形成する両側辺４２３ｓ，４２３ｓに沿って延在する後方中高境界溝部４３ｃとを有している。前方中高境界溝部４３ａと後方中高境界溝部４３ｃは、吸収性コア４１の横方向Ｙの全長（全幅）に亘り形成されている。このため、脚部からの吸収性コア４１の幅方向の内側に働く力に対し、ナプキン１の縦方向に縦シワが生じ難く、ナプキン１が身体の形状に沿って３次元的にフィットし易くなる。このように、吸収性コア４１では、前方中高境界溝部４３ａと後方中高境界溝部４３ｃとによって中高部４２との境界を区画している。
【００４０】
ナプキン１では、吸収性コア４１における中高境界溝部４３の溝幅は、排泄対向区域Ｂにおける液の吸収性等を向上させる観点から、好ましくは、０．１ｍｍ以上、より好ましくは、０．５ｍｍ以上であり、また、好ましくは、５．０ｍｍ以下、より好ましくは、３．０ｍｍ以下であり、また、好ましくは０．１ｍｍ以上５．０ｍｍ以下、より好ましくは、０．５ｍｍ以上３．０ｍｍ以下である。尚、中高境界溝部４３の溝幅及び後述する厚みは、中高境界溝部４３の延びる方向に直交する方向に切断し、切端面の写真から計測する。
ナプキン１では、吸収性コア４１における中高境界溝部４３での厚みは、排泄対向区域Ｂにおける液の吸収性等を向上させる観点から、好ましくは、０．０８ｍｍ以上、より好ましくは、０．１５ｍｍ以上、また、好ましくは、７．０ｍｍ以下、より好ましくは、３．５ｍｍ以下であり、また、好ましくは、０．０８ｍｍ以上、７．０ｍｍ以下、より好ましくは、０．１５ｍｍ以上３．５ｍｍ以下である。
【００４１】
ナプキン１では、中高境界溝部４３は、中高部４２の坪量よりも低く、更に、吸収性コア４１における第一領域４１Ｆの坪量及び第二領域４１Ｒの坪量よりも坪量が低く形成されている。ここで、第一領域４１Ｆの坪量及び第二領域４１Ｒの坪量とは、溝部４５を有する場合には、溝部４５を除いた部分の坪量を意味する。中高境界溝部４３の坪量は、好ましくは１０ｇ／ｍ2以上、より好ましくは２０ｇ／ｍ2以上であり、そして、好ましくは３５０ｇ／ｍ2以下、より好ましくは２５０ｇ／ｍ2以下であり、具体的には、好ましくは１０ｇ／ｍ2以上３５０ｇ／ｍ2以下、より好ましくは２０ｇ／ｍ2以上２５０ｇ／ｍ2以下である。尚、中高境界溝部４３の坪量は、上述した吸収性コア４１の各部の厚みの測定方法で説明したように切り出した中高境界溝部４３の部分のサンプルの質量を、そのサンプルの肌対向面側の面の面積で除して求める。
【００４２】
ナプキン１では、吸収性コア４１は、図２に示すように、その中間領域４１Ｍにおける中高部４２を除き、更に、中高境界溝部４３を除く領域に、中高隣接部４４を有している。即ち、ナプキン１では、吸収性コア４１における中間領域４１Ｍが、中高部４２、中高境界溝部４３及び中高隣接部４４からなっている。中高隣接部４４は、中間領域４１Ｍにおいて、中高部４２を構成する前方側凸部４２２に隣接する第一領域４１Ｆ側に配された前方中高隣接部４４ａと、中高部４２を構成する後方側凸部４２３に隣接する第二領域４１Ｒ側に配された後方中高隣接部４４ｃとを有している。前方中高隣接部４４ａは、縦方向Ｘに延びる中心線ＣＬ１に対して左右対称に形成されている。前方中高隣接部４４ａにおける、中心線ＣＬ１よりも吸収性コア４１の縦方向Ｘに沿う一方の側縁４１ｓ側の半分の部分は、縦方向Ｘの長さが、該一方の側縁４１ｓから中心線ＣＬ１に向かって漸減するように形成されている。後方中高隣接部４４ｃも、前方中高隣接部４４ａと同様に、縦方向Ｘに延びる中心線ＣＬ１に対して左右対称に形成されている。後方中高隣接部４４ｃにおける、中心線ＣＬ１よりも吸収性コア４１の縦方向Ｘに沿う一方の側縁４１ｓ側の半分の部分は、縦方向Ｘの長さが、該一方の側縁４１ｓから中心線ＣＬ１に向かって漸減するように形成されている。
【００４３】
ナプキン１では、中高隣接部４４は、図３に示すように、その厚みが、中高境界溝部４３の厚みよりも大きく、且つ、吸収性コア４１における中高部４２の厚みよりも小さく形成されている。さらには、身体の動きへの追従性の観点からは、中高隣接部４４は、その厚みが、第一領域４１Ｆの厚み及び第二領域４１Ｒの厚みと同じか小さくなっていることが好ましい。尚、身体の動きに対し、繰り返し変形した際の吸収性コア４１の強度の観点から、中高隣接部４４は、その厚みが、第一領域４１Ｆの厚み及び第二領域４１Ｒの厚みより大きくなっていてもよい。
中高隣接部４４の厚みは、好ましくは０．５ｍｍ以上、より好ましくは１．０ｍｍ以上であり、また、好ましくは１０．０ｍｍ以下、より好ましくは７．０ｍｍ以下であり、また、好ましくは０．５ｍｍ以上１０．０ｍｍ以下、より好ましくは１．０ｍｍ以上７．０ｍｍ以下である。
中高隣接部４４の厚みは、上述した吸収性コア４１の各部の厚みの測定方法に基づいて測定される。
【００４４】
ナプキン１では、中高隣接部４４は、その坪量が、吸収性コア４１の中高部４２の坪量より小さく、且つ、中高境界溝部４３の坪量よりも大きく形成されている。さらには、身体の動きへの追従性の観点からは、中高隣接部４４は、その坪量が、吸収性コア４１における第一領域４１Ｆの坪量及び第二領域４１Ｒの坪量と同じか小さくなっていることが好ましい。尚、身体の動きに対し、繰り返し変形した際の吸収性コア４１の強度の観点から、中高隣接部４４は、その坪量が、第一領域４１Ｆの坪量及び第二領域４１Ｒの坪量よりも大きくなっていてもよい。ここで、第一領域４１Ｆの坪量及び第二領域４１Ｒの坪量とは、溝部４５を有する場合には、溝部４５を除いた部分の坪量を意味する。中高隣接部４４の坪量は、好ましくは２０ｇ／ｍ2以上、より好ましくは５０ｇ／ｍ2以上であり、そして、好ましくは８００ｇ／ｍ2以下、より好ましくは７００ｇ／ｍ2以下であり、具体的には、好ましくは２０ｇ／ｍ2以上８００ｇ／ｍ2以下、より好ましくは５０ｇ／ｍ2以上７００ｇ／ｍ2以下である。尚、中高隣接部４４の坪量は、上述した吸収性コア４１の各部の厚みの測定方法で説明したように切り出した中高隣接部４４のサンプルの質量を、そのサンプルの肌対向面側の面の面積で除して求める。
【００４５】
ナプキン１では、図２に示すように、吸収性コア４１を平面視して、第一領域４１Ｆ及び第二領域４１Ｒには、縦方向Ｘ及び横方向Ｙに延びる溝部４５と、溝部４５によって区画化されて形成された複数の小吸収部４６とが配されている。このように配された小吸収部４６は、その坪量が、溝部４５の坪量よりも高くなっている。第一領域４１Ｆ及び第二領域４１Ｒに配された溝部４５は、縦方向Ｘに延びる縦溝４５Ｘと、横方向Ｙに延びる横溝４５Ｙとからなる。そして、縦方向Ｘに延びる縦溝４５Ｘは、横方向Ｙに一定の間隔を空けて配され、横方向Ｙに延びる横溝４５Ｙは、縦方向Ｘに一定の間隔を空けて配されている。小吸収部４６は、縦溝４４Ｙ及び横溝４４Ｘで区画された格子の目の位置に配されている。上述した第一領域４１Ｆ及び第二領域４１Ｒの厚み及び坪量とは、小吸収部４６の厚み及び坪量を意味する。このように、第一領域４１Ｆ及び第二領域４１Ｒに溝部４５及び小吸収部４６を有していれば、第一領域４１Ｆ及び第二領域４１Ｒの柔軟性が向上し、着用者へのフィット性が向上する。
【００４６】
ナプキン１では、第一領域４１Ｆ及び第二領域４１Ｒに溝部４５及び小吸収部４６を有し、中間領域４１Ｍに中高部４２、中高境界溝部４３及び中高隣接部４４を有する吸収性コア４１は、その全体が一体成形されている。「一体成形されている」とは、別の工程で製造した部材どうしを接着剤や圧縮などの接合手段で結合したものとは異なり、同一の材料を用いて、一つの工程で一体的に形成されていることを意味する。
【００４７】
上述したナプキン１の吸収性コア４１は、例えば、図５（ａ）に示すように、外周面に集積用凹部５５を備え、一方向Ｒに回転する積繊ドラム５４と、該積繊ドラム５４の外周面に、コア材料を飛散状態で供給するダクト（図示せず）を備えた積繊装置を用いて製造することができる。
集積用凹部５５は、積繊ドラム５４の外周面の周方向に一定の間隔で複数個形成されている。集積用凹部５５の底面５６は、メッシュプレート等からなり、吸引孔として機能する多数の細孔を有している。
【００４８】
また、図５（ａ）に示すように、１個の集積用凹部５５の底面５６の一部には、吸収性コア４１の中間領域４１Ｍを形成するための１つの凹部５６ｂが形成されている。また、凹部５６ｂには、その底面に、中高部４２と中高隣接部４４とを区分する中高境界溝部４３を形成するための第１難通気性部材５７が配置されている。第１難通気性部材５７は、中高境界溝部４３に対応する位置に配され、凹部５６ｂの底面から突出するように固定されている。また、凹部５６ｂに隣接する回転方向Ｒの上流側領域及び下流側領域の底面５６には、溝部４５を形成するための第２難通気性部材５８が配置されている。第２難通気性部材５８は、縦溝４４Ｙ及び横溝４４Ｘに対応する位置に配され、集積用凹部５５の底面５６から突出するように固定されている。第１難通気性部材５７及び第２難通気性部材５８は、非通気性部材であっても良く、例えば金属やプラスチック、セラミック等からなる。
【００４９】
積繊ドラムを備えた公知の積繊装置と同様に、集積用凹部５５の底面から吸引しつつ、ダクト内に、吸水性ポリマーとパルプ繊維とを混合したコア材料を供給することによって、図５（ｂ）に示すように、コア材料が集積用凹部５５内に所定形状に堆積する。その堆積物４０を、集積用凹部５５から離型することで、吸収性コア４１の前駆体が得られる。吸収性コア４１の前駆体は、コアラップシート（不図示）で被覆された後に、ロータリーカッター等でカットされ、搬送方向にベルトコンベア等の搬送手段によって搬送される。このようにして吸収性コア４１が得られる。このようにして得られたコアラップシート（不図示）で被覆された吸収性コア４１は、一対のロール間に単回又は複数回通すこと等により、全体又は部分的に加圧し適度に圧縮させる。これにより、凹部５６ｂに堆積した部分が、坪量及び厚みともに相対的に大きい中高部４２となる。同様に、凹部５６ｂに隣接する上流側領域及び下流側領域に堆積したコア材料からなる部分が、坪量が相対的に小さい吸収性コア４１における第一領域４１Ｆ及び第二領域４１Ｒとなる。また、凹部５６ｂの第１難通気性部材５７上に堆積したコア材料からなる部分が、第一領域４１Ｆの坪量及び第二領域４１Ｒの坪量よりも相対的に小さい中高境界溝部４３となる。凹部５６ｂに隣接する上流側領域及び下流側領域の第２難通気性部材５８上に堆積したコア材料からなる部分が、小吸収部４６の坪量よりも相対的に小さい溝部４５となる。
【００５０】
ナプキン１では、図１に示すように、肌側シート２と吸収性コア４１とが圧搾一体化された線状圧搾溝７を備えている。好適に、ナプキン１では、肌側シート２の肌対向面に、肌側シート２及び吸収体４が非肌側シート３側に向かって一体的に凹陥してなる線状圧搾溝７が形成されている。線状圧搾溝７における「線状」とは、溝（凹陥部）の形状が平面視において直線に限られず、曲線を含んでいることを意味する。尚、線状圧搾溝７は、線状に延びていれば、溝の底部の厚みが一定であってもよく、溝の底部の厚みが一定でなくてもよい。溝の底部の厚みが一定でない圧搾溝としては、例えば、圧搾溝の底部に、相対的に深く窪んでいる部分（高圧搾部）と相対的に浅く窪んでいる部分（低圧搾部）とが形成されている形態が挙げられる。線状圧搾溝７は、肌側シート２及び吸収体４に関して、構成部材である各々の繊維の密度が、該線状圧搾溝７の周囲部の密度よりも高くなっている。
【００５１】
ナプキン１では、図１に示すように、肌側シート２と吸収性コア４１とが圧搾一体化された線状圧搾溝７として、前方区域Ａ側において縦方向Ｘに延びる一対の前方圧搾溝７１,７１と、後方区域Ｃ側において縦方向Ｘに延びる一対の後方圧搾溝７２，７２とを有し、排泄対向区域Ｂにおいては各前方圧搾溝７１と各後方圧搾溝７２とが溝として繋がっていない非溝部分７Ｎを有している。ナプキン１においては、一対の前方圧搾溝７１,７１は、前方区域Ａから排泄対向区域Ｂの一部に亘って延びている。また、一対の後方圧搾溝７２，７２は、後方区域Ｃから排泄対向区域Ｂの一部に亘って延びている。ここで、非溝部分７Ｎとは、肌側シート２及び吸収体４が非肌側シート３側に向かって凹陥しておらず、肌側シート２の肌対向面側から非肌側シート３側に向かって窪んでもいない部分を意味する。従って、前方圧搾溝７１と後方圧搾溝７２との間に非溝部分７Ｎを配置することによって、前方圧搾溝７１の溝と後方圧搾溝７２の溝とが間隔を開けて分離され、前方圧搾溝７１と後方圧搾溝７２とが連続する窪みとして繋がらないようになる。
【００５２】
ナプキン１では、図１に示すように、一対の前方圧搾溝７１，７１と一対の後方圧搾溝７２，７２とは、それぞれ、吸収性コア４１における中高部４２と中高部４２以外の部分との境界部分ＢＬと交差している。好適に、ナプキン１では、境界部分ＢＬが、前方側凸部４２２を形成する両側辺４２２ｓ，４２２ｓに沿って延びており、後方側凸部４２３を形成する両側辺４２３ｓ，４２３ｓに沿って延びている。その為、一対の前方圧搾溝７１，７１が、前方側凸部４２２を形成する両側辺４２２ｓ，４２２ｓに沿って延びる境界部分ＢＬと交差している。そして、一対の後方圧搾溝７２，７２が、後方側凸部４２３を形成する両側辺４２３ｓ，４２３ｓに沿って延びる境界部分ＢＬと交差している。また、上述のように、境界部分ＢＬに沿って中高境界溝部４３が延びており、一対の前方圧搾溝７１，７１と一対の後方圧搾溝７２，７２とが、吸収性コア４１の中高境界溝部４３と交差するようになる。具体的には、一対の前方圧搾溝７１，７１が、中高部４２を構成する前方側凸部４２２を形成する両側辺４２２ｓ，４２２ｓに沿って延在する前方中高境界溝部４３ａと交差する。そして、一対の後方圧搾溝７２，７２が、後方側凸部４２３を形成する両側辺４２３ｓ，４２３ｓに沿って延在する後方中高境界溝部４３ｃと交差する。
【００５３】
ナプキン１では、線状圧搾溝７の非溝部分７Ｎは、図１に示すように、ナプキン１の中心位置ＣＰを通って横方向Ｙに平行に延びる横中心線ＣＬ２上に配されていることが好ましい。非溝部分７Ｎの長さは、前方圧搾溝７１の端部と後方圧搾溝７２の端部との間隔と同義であり、ナプキン１では、線状圧搾溝７の非溝部分７Ｎが、横方向Ｙに延びる横中心線ＣＬ２上に配されているので、ナプキン１が特定の位置で折れ曲がることがなく、吸収性能を阻害する皺の発生が抑制できる。特に、装着時の大腿部からの力に対し、使用者の体型にそった形に中高部４２が凸型に変形し身体形状に柔軟にフィットさせることができる。したがって、肌側シート２の表面を横方向Ｙに流れる液流れを防止でき、十分な吸収性能が発現できる。更に、前方圧搾溝７１の端部と後方圧搾溝７２の端部とに挟まれる非溝部分７Ｎが配されていることにより、排泄対向区域Ｂにおいて液の吸収・拡散が十分に行われ、前方区域Ａおよび後方区域Ｃへの液の不測の拡散が発生しづらい。また、前方圧搾溝７１の端部と後方圧搾溝７２の端部間の距離が長過ぎてしまうと、非溝部分においてモレを誘発するような変形が起こりやすくなることから、排泄対向区域におけるフィット性を損なわずに排泄された液の吸収を向上させる観点から、非溝部分７Ｎの長さは、好ましくは２０ｍｍ以上、より好ましくは５０ｍｍ以上であり、また、好ましくは１１０ｍｍ以下、より好ましくは９０ｍｍ以下であり、また、好ましくは２０ｍｍ以上１１０ｍｍ以下、より好ましくは５０ｍｍ以上９０ｍｍ以下である。これにより、吸収性物品が多少ズレた状態で着用されても、身体形状へのフィット性に優れることで着用者の肌との間に隙間を生じ難く、肌側シートの表面を流れる液流れを防止し、十分な吸収性能が発現できる。
【００５４】
ナプキン１では、図１に示すように、一対の前方圧搾溝７１，７１は、それぞれ、吸収性コア４１の境界部分ＢＬから前方区域Ａ側に延在する前方区域側圧搾溝７１ａと、吸収性コア４１の境界部分ＢＬから中高部４２側に延在する前方中高圧搾溝７１ｂとを有している。前方区域側圧搾溝７１ａは、前方区域Ａ側の境界部分ＢＬから前方区域Ａ側に縦方向Ｘに延びている。前方中高圧搾溝７１ｂは、前方区域Ａ側の境界部分ＢＬから横中心線ＣＬ２に向かって中高部４２側に縦方向Ｘに延びている。一対の前方圧搾溝７１，７１は、中心線ＣＬ１に対して左右対称に形成されている。
【００５５】
ナプキン１では、図１に示すように、一対の前方区域側圧搾溝７１ａ，７１ａは、それぞれ、中心線ＣＬ１から横方向Ｙ外方に向かって凸状となっている。ナプキン１では、横方向Ｙ外方に向かって凸状の前方区域側圧搾溝７１ａは、その頂部７１ａ１が、一方のウイング部１Ｗの縦方向Ｘに沿う付け根と他方のウイング部１Ｗの縦方向Ｘに沿う付け根を結ぶ前方側仮想線ＩＬａ上に配されているが、使用時に該吸収性物品１の前方区域Ａの形状が複雑に曲がることなく安定した形状が保たれることで、着用者の肌と吸収性物品１との間に隙間を生じ難く、身体形状へのフィット性に優れ、十分な吸収性能が発現できる観点から、前方側仮想線ＩＬａよりも外側、言い換えれば、前方区域側圧搾溝７１ａの頂部７１ａ１が、一方のウイング部１Ｗの縦方向Ｘに沿う付け根と他方のウイング部１Ｗの縦方向Ｘに沿う付け根とに挟まれた領域Ｔの外側に配されていことが好ましい。ナプキン１と異なりウイング部１Ｗを有しない吸収性物品の場合には、前方区域側圧搾溝７１ａの頂部７１ａ１は、吸収性物品が３つ折りの個装形態に折り畳まれた際に生じる、該吸収性物品を横方向Ｙに横断する２本の折曲線（図示せず）について、該吸収性物品の縦方向Ｘの前端から数えて第１折曲線と第２折曲線とに囲まれた領域の外側に配されることが好ましい。
【００５６】
ナプキン１では、一対の前方中高圧搾溝７１ｂ，７１ｂは、それぞれ、図１に示すように、前方区域Ａ側の吸収性コア４１の境界部分ＢＬから排泄対向区域Ｂにおける中心位置ＣＰに向かって延びる部分を有している。各前方中高圧搾溝７１ｂの有する前記延びる部分は、ナプキン１では、吸収性コア４１の境界部分ＢＬから中心位置ＣＰに向かって直線状に延びている。これにより、ナプキン１は、境界部分ＢＬを起点に容易に折れ曲がり難く、また中高部４２の境界部分ＢＬ近傍でも折れ曲がることが無いので、使用時の複雑な動きに対して、身体に追従性した安定した形状が保たれることで着用者の肌との間に隙間を生じ難く、肌側シート２の表面を流れる液流れを防止でき、十分な吸収性能が発現できる点で好ましい。更に、一対の前方区域側圧搾溝７１ａと前方中高圧搾溝７１ｂとが、接していることが、より一層好ましい。
【００５７】
一対の後方圧搾溝７２，７２は、その形状が、一対の前方圧搾溝７１，７１の形状と同じ形状であっても異なる形状であってもよいが、ナプキン１では、図１に示すように、一対の後方圧搾溝７２，７２の形状は、一対の前方圧搾溝７１，７１の形状と同じ大きさの同じ形状となっている。好適には、一対の後方圧搾溝７２，７２は、それぞれ、吸収性コア４１の境界部分ＢＬから後方区域Ｃ側に延在する後方区域側圧搾溝７２ｃと、吸収性コア４１の境界部分ＢＬから中高部４２側に延在する後方中高圧搾溝７２ｂとを有している。後方区域側圧搾溝７２ｃは、後方区域Ｃ側の境界部分ＢＬから後方区域Ｃ側に縦方向Ｘに延びている。後方中高圧搾溝７２ｂは、後方区域Ｃ側の境界部分ＢＬから横中心線ＣＬ２に向かって中高部４２側に縦方向Ｘに延びている。一対の後方圧搾溝７２，７２は、中心線ＣＬ１に対して左右対称に形成されている。
【００５８】
ナプキン１では、図１に示すように、一対の後方区域側圧搾溝７２ｃ，７２ｃは、それぞれ、中心線ＣＬ１から横方向Ｙ外方に向かって凸状となっている。ナプキン１では、横方向Ｙ外方に向かって凸状の後方区域側圧搾溝７２ｃは、その頂部７２ｃ１が、一方のウイング部１Ｗの縦方向Ｘに沿う付け根と他方のウイング部１Ｗの縦方向Ｘに沿う付け根を結ぶ後方側仮想線ＩＬｃ上に配されているが、ナプキン１の後方区域Ｃの形状が複雑に曲がることなく安定した形状が保たれる観点から、後方側仮想線ＩＬｃよりも外側、言い換えれば、後方区域側圧搾溝７２ｃの頂部７２ｃ１が、一方のウイング部１Ｗの縦方向Ｘに沿う付け根と他方のウイング部１Ｗの縦方向Ｘに沿う付け根とに挟まれた領域Ｔの外側に配されていることが好ましい。ナプキン１と異なりウイング部１Ｗを有しない吸収性物品の場合には、後方区域側圧搾溝７２ｃの頂部７２ｃ１は、吸収性物品が３つ折りの個装形態に折り畳まれた際に生じる、該吸収性物品を横方向Ｙに横断する２本の折曲線（図示せず）について、該吸収性物品の縦方向Ｘの前端から数えて第１折曲線と第２折曲線とに囲まれた領域の外側に配されることが好ましい。
【００５９】
ナプキン１では、一対の後方中高圧搾溝７２ｂ，７２ｂは、それぞれ、図１に示すように、後方区域Ｃ側の吸収性コア４１の境界部分ＢＬから排泄対向区域Ｂにおける中心位置ＣＰに向かって延びる部分を有している。各後方中高圧搾溝７２ｂの有する前記延びる部分は、ナプキン１では、吸収性コア４１の境界部分ＢＬから中心位置ＣＰに向かって直線状に延びている。
【００６０】
ナプキン１では、排泄対向区域Ｂにおける横方向Ｙの漏れを防止し、吸収性コア４１の境界部分ＢＬから外方の領域では吸収性コア４１の柔軟性を維持する観点から、一対の前方中高圧搾溝７１ｂ，７１ｂは、それぞれ、その肌側シート２側からの深さが、前方区域側圧搾溝７１ａの肌側シート２側からの深さよりも深く形成されていることが好ましい。ここで、中高部４２に配された前方中高圧搾溝７１ｂの深さが前方区域側圧搾溝７１ａの深さよりも深く形成されていることは、前方中高圧搾溝７１ｂの圧縮の強度が中高部４２以外に配された前方区域側圧搾溝７１ａの圧縮の強度よりも高くなっていることを意味する。
【００６１】
ナプキン１では、前方圧搾溝７１と同様の観点から、一対の後方中高圧搾溝７２ｂ，７２ｂは、それぞれ、その肌側シート２側からの深さが、後方区域側圧搾溝７２ｃの肌側シート２側からの深さよりも深く形成されていることが好ましい。ここで、中高部４２に配された後方中高圧搾溝７２ｂの深さが後方区域側圧搾溝７２ｃの深さよりも深く形成されていることは、前方中高圧搾溝７１ｂの圧縮の強度が中高部４２以外に配された後方区域側圧搾溝７２ｃの圧縮の強度よりも高くなっていることを意味する。
【００６２】
上述した第１実施形態のナプキン１の各構成部材の形成材料について説明する。
肌対向面を形成する肌側シート２は、液透過性を有し、熱可塑性合成樹脂を含む素材で構成され、例えば、エアースルー繊維不織布、スパンボンド不織布、ポイントボンド不織布等の繊維不織布を好適に用いることができる。熱可塑性樹脂の例として、エチレン、プロピレン等のオレフィン系ポリマー、又は、ポリエチレンテレフタレートが挙げられるが、これらに限定されるものではない。肌側シート２は、例えば、坪量が１０〜１００ｇ／ｍ2であり、厚さが０．５〜５．０ｍｍであることが好ましい。また、肌側シート２は、当該技術分野において従来用いられてきたものと同様のものを特に制限なく用いることができ、穿孔フィルム等を用いることもできる。
【００６３】
非肌側シート３は、難透液性又は、不透過性を有し、熱可塑性合成樹脂を含む素材で構成され、例えば、合成樹脂製フィルム、合成樹脂製フィルムと不織布の積層体や、スパンボンド−メルトブローン−スパンボンド積層繊維不織布、エアースルー繊維不織布、ポイントボンド繊維不織布、スパンボンド繊維不織布等の耐水圧が高い撥水性の不織布を用いることができるが、これらに限定されるものではなく、当該技術分野において従来用いられてきたものと同様のものを特に制限なく用いることができる。非肌側シート３は、例えば、坪量が１０〜５０ｇ／ｍ2であり、厚さが、８〜２００μｍであることが好ましい。
【００６４】
吸収性コア４１のコア材料は、パルプ繊維等の繊維材料からなる繊維集合体を含んでなる。繊維材料としては、従来、生理用ナプキンやパンティライナー、使い捨ておむつ等の吸収性物品の吸収体に用いられている各種のものを特に制限なく用いることができ、例えば、パルプ繊維、レーヨン繊維、コットン繊維等のセルロース系繊維の短繊維や、ポリエチレン等の合成繊維の短繊維等が用いられる。これらの繊維は、１種を単独で又は２種以上を組み合わせて用いることができる。また、繊維材料は、全体又は一部がパルプ繊維であることが好ましく、繊維材料中のパルプ繊維の割合は５０〜１００質量％であることが好ましく、より好ましくは８０〜１００質量％であり、更に好ましくは１００質量％である。
また、吸収性コア４１には吸水性ポリマーが含有されていてもよい。吸水性ポリマーとしては、例えば、ポリアクリル酸ナトリウム、（アクリル酸−ビニルアルコール）共重合体、ポリアクリル酸ナトリウム架橋体、（でんぷん−アクリル酸）グラフト共重合体、（イソブチレン−無水マレイン酸）共重合体及びそのケン化物、ポリアスパラギン酸等が挙げられる。吸水性ポリマーが含有されることで、より安定的に大量の血液などの排泄液を素早く吸収し、保持することができる。
また、吸収性コア４１には、消臭剤や抗菌剤等を必要に応じて配合しても良い。
【００６５】
吸収性コア４１を被覆するコアラップシート（不図示）としては、ティッシュペーパー、透水性の不織布等が挙げられる。吸収体４は、吸収性コア４１の上下両面をコアラップシート（不図示）で被覆して形成されている。コアラップシート（不図示）は、吸収性コア４１の形成材料の漏れ出しを防止したり、吸収性コア４１の保形性を高めたりする目的で使用される。吸収性コア４１の肌対向面側を被覆するコアラップシート（不図示）と肌側シート２との間、及び吸収性コア４１の非肌対向面側を被覆するコアラップシート（不図示）と非肌側シート３との間は、ドット、スパイラル、ストライプ等のパターン塗工された接着剤により互いに接合されていることが好ましい。
【００６６】
サイドシート５としては、当該技術分野において従来用いられている各種のものを特に制限なく用いることができ、例えば、液不透過性又は撥水性の樹脂フィルム、樹脂フィルムと不織布との積層体等を用いることができる。その他の材料としては、例えば、スパンボンド不織布、スパンボンド不織布（Ｓ）とメルトブロー不織布（Ｍ）とが複合化されたシート（例えばＳＭ、ＳＭＳ、ＳＭＭＳ等）、ヒートロール不織布、エアースルー不織布等の撥水性（疎水性）不織布が挙げられる。
【００６７】
サイドシート５と肌側シート２とを接合する接合部６は熱シール加工により常法に従って形成することができる。
線状圧搾溝７（前方圧搾溝７１及び後方圧搾溝７２）は、熱を伴うか又は伴わない圧搾加工（いわゆるエンボス加工）、あるいは超音波エンボス等のエンボス加工により常法に従って形成することができる。
【００６８】
上述した第１実施形態のナプキン１の作用効果について説明する。
ナプキン１は、図１〜図２に示すように、吸収性コア４１における中間領域４１Ｍに中高部４２を有し、中高部４２は、図２に示すように、吸収性コア４１を平面視して、吸収性コア４１の横方向Ｙにおける長さが最大となる最大幅部を有し、該最大幅部の横方向Ｙの長さが、吸収性コア４１の中間領域４１Ｍの横方向Ｙの長さと同じである。その為、吸収性物品であるナプキン１が多少ズレた状態で着用されても、十分な吸収性能が発現できる。また、ナプキン１では、肌側シート２と吸収性コア４１とが圧搾一体化された線状圧搾溝７として、前方区域Ａ側の縦方向Ｘに延びる一対の前方圧搾溝７１,７１と、後方区域Ｃ側の縦方向Ｘに延びる一対の後方圧搾溝７２，７２とを有し、一対の前方圧搾溝７１，７１と一対の後方圧搾溝７２，７２とが、それぞれ、吸収性コア４１における中高部４２と中高部４２以外の部分との境界部分ＢＬと交差している。その為、吸収性コア４１が境界部分ＢＬを起点に容易に折れ曲がり難く、また中高部４２の境界部分ＢＬ近傍でも折れ曲がることが無いので、使用時の複雑な動きに対して、追従性に優れることで、肌側シート２の表面を流れる液流れを防止でき、十分な吸収性能が発現できる。また、排泄対向区域Ｂにおいては各前方圧搾溝７１と各後方圧搾溝７２とが溝として繋がっていない非溝部分７Ｎを有しているので、排泄対向区域Ｂにおいて、肌側シート２の表面を横方向Ｙに流れる液流れを防止でき、十分な吸収性能が発現できる。特に、ナプキン１では、線状圧搾溝７の非溝部分７Ｎが、横方向Ｙに延びる横中心線ＣＬ２上に配されているので、排泄対向区域Ｂにおいて、ナプキン１が特定の位置で折れ曲がることなく、使用者の体型に合わせた形で中高部４２が凸型に変形しフィットするため、肌側シート２の表面を横方向Ｙに流れる液流れを更に防止でき、十分な吸収性能が発現できる。
【００６９】
また、ナプキン１では、図１〜２、及び図６に示すように、前記最大幅部が吸収性コア４１の縦方向Ｘに沿う両側縁に従って縦方向Ｘに所定の長さに延在して形成される中高中央部４２１を有している。その為、排泄液の吸収量を高めることができるとともに、吸収性物品であるナプキン１が多少ズレた状態で着用された場合や、着用時の身体の動作や就寝時の身体の姿勢などに対しても、十分な吸収性能が発現できる。
【００７０】
また、ナプキン１では、図１に示すように、一対の前方圧搾溝７１，７１が、それぞれ、吸収性コア４１の境界部分ＢＬから前方区域Ａ側に延在する前方区域側圧搾溝７１ａと境界部分ＢＬから中高部４２側に延在する前方中高圧搾溝７１ｂとを有している。また、一対の後方圧搾溝７２，７２が、それぞれ、境界部分ＢＬから後方区域Ｃ側に延在する後方区域側圧搾溝７２ｃと、境界部分ＢＬから中高部４２側に延在する後方中高圧搾溝７２ｂとを有している。そして、一対の前方区域側圧搾溝７１ａ，７１ａが、それぞれ、横方向Ｙ外方に向かって凸状となっている。また、一対の後方区域側圧搾溝７２ｃ，７２ｃが、それぞれ、横方向Ｙ外方に向かって凸状となっている。その為、ナプキン１の使用中に両脚の太腿から横方向Ｙ内側への力に対して、吸収性コア４１が境界部分ＢＬを起点に容易に折れ曲がり難く、また、前方区域Ａの形状が複雑に曲がることなく安定した形状が保たれ、使用時にナプキン１と肌との間に隙間を生じ難く、身体形状へのフィット性に更に優れることで、肌側シート２の表面を流れる液流れを防止でき、十分な吸収性能が発現できる。
【００７１】
また、ナプキン１では、図１に示すように、一対の前方中高圧搾溝７１ｂ，７１ｂが前方区域Ａ側の吸収性コア４１の境界部分ＢＬから排泄対向区域Ｂにおける中心位置ＣＰに向かって延びる部分を有し、一対の後方中高圧搾溝７２ｂ，７２ｂが後方区域Ｃ側の吸収性コア４１の境界部分ＢＬから排泄対向区域Ｂにおける中心位置ＣＰに向かって延びる部分を有している。その為、ナプキン１の使用中に両脚の太腿から横方向Ｙ内側への力に対して吸収性コア４１が変形する際に、身体形状へ更にフィットし易く、またその形状が外力で潰されることなく維持されやすいため、十分な吸収性能が発現できる。
【００７２】
また、中高部４２は、図２に示すように平面視して、中高中央部４２１と、中高中央部４２１の縦方向Ｘの前端部から第一領域４１Ｆ側に向かって凸の前方側凸部４２２、及び中高中央部４２１の縦方向Ｘの後端部から第二領域４１Ｒ側に向かって凸の後方側凸部４２３を有している。その為、ナプキン１が多少ズレた状態で着用されても、中高部４２が前方側凸部４２２及び後方側凸部４２３を有していれば、両大腿部からナプキン１の横方向Ｙ内側への力に対し、前方側凸部４２２及び後方側凸部４２３が変形することで、中高部４２が身体形状への追従性に優れ、着用者に違和感を与え難くなっている。特に、ナプキン１では、中間領域４１Ｍの第一領域４１Ｆ側において、中高部４２と中高部４２以外の部分との境界部分ＢＬが、直線形状に延びており、中間領域４１Ｍの第二領域４１Ｒ側において、中高部４２と中高部４２以外の部分との境界部分ＢＬが、直線形状に延びている。その為、中高部４２が身体形状への追従性に更に優れ、着用者に違和感を更に与え難くなっている。
【００７３】
また、ナプキン１は、図２に示すように、吸収性コア４１における中間領域４１Ｍに中高部４２と、中高部４２以外の部分を区画する中高境界溝部４３を有している。中高境界溝部４３の前方中高境界溝部４３ａと後方中高境界溝部４３ｃは、吸収性コア４１の横方向Ｙの全長（全幅）に亘り形成されている。このため、脚部からの吸収性コア４１の幅方向の内側に働く力に対し、ナプキン１の縦方向にシワが生じ難く、ナプキン１が身体の形状に沿って３次元的にフィットし易くなる。
【００７４】
また、ナプキン１は、図２に示すように、吸収性コア４１における中間領域４１Ｍに、中高部４２を構成する前方側凸部４２２に隣接する第一領域４１Ｆ側に配された前方中高隣接部４４ａと、中高部４２を構成する後方側凸部４２３に隣接する第二領域４１Ｒ側に配された後方中高隣接部４４ｃとを有している。そして、中高隣接部４４の厚みが、吸収性コア４１における第一領域４１Ｆの厚み及び第二領域４１Ｒの厚み以下の大きさであり、且つ、中高部４２の厚みよりも小さく形成されている。その為、ナプキン１が多少ズレた状態で着用されても、着用者の肌との間に隙間を生じ難く、十分な吸収性能が発現できる。ナプキン１では、中高隣接部４４の坪量が、吸収性コア４１における第一領域４１Ｆの坪量及び第二領域４１Ｒの坪量より小さく、且つ、中高境界溝部４３の坪量よりも大きく形成されているので、前記効果のうち、着用者への違和感を低減する効果をより一層奏することができる。
【００７５】
尚、特にナプキン１を長時間にわたり装着する場合などで、身体の動きにより、ナプキン１が繰り返し変形することで、中高隣接部４４が破損して吸収性能を損なうおそれがある場合には、中高隣接部４４の厚みは、吸収性コア４１における第一領域４１Ｆ及び第二領域４１Ｒの厚みより大きくなっていてもよい。
さらに、身体の動きより、繰り返し変形することで、中高隣接部４４が破損して吸収性能を損なう場合には、中高隣接部４４の坪量は、吸収性コア４１における第一領域４１Ｆ及び第二領域４１Ｒの坪量より大きくなっていてもよい。
【００７６】
次に、本発明の第２実施形態のナプキン１について説明する。第２実施形態のナプキン１は、線状圧搾溝７の形態が、第１実施形態のナプキン１の備える線状圧搾溝７の形態と異なっている。第２実施形態のナプキン１については、第１実施形態のナプキン１と異なる点について主として説明し、同様の点については同一の符号を付して説明を省略する。特に言及しない点については、第１実施形態のナプキン１に関する説明が適宜適用される。また、第２実施形態のナプキン１の効果については、第１実施形態のナプキン１の効果と異なる点について説明し、特に説明しない点は、第１実施形態のナプキン１の効果と同様であり、第１実施形態のナプキン１の効果の説明が適宜適用される。
【００７７】
第２実施形態のナプキン１は、図６に示すように、一対の前方圧搾溝７１，７１は、それぞれ、吸収性コア４１の境界部分ＢＬから前方区域Ａ側に延在する前方区域側圧搾溝７１ａと、吸収性コア４１の境界部分ＢＬから中高部４２側に延在する前方中高圧搾溝７１ｂとを有している。また、一対の後方圧搾溝７２，７２は、それぞれ、吸収性コア４１の境界部分ＢＬから後方区域Ｃ側に延在する後方区域側圧搾溝７２ｃと、吸収性コア４１の境界部分ＢＬから中高部４２側に延在する後方中高圧搾溝７２ｂとを有している。図６に示すナプキン１では、一対の前方区域側圧搾溝７１ａ，７１ａが、それぞれ、横方向Ｙ外方に向かって凸の曲線状となっている。また、一対の後方区域側圧搾溝７２ｃ，７２ｃが、それぞれ、横方向Ｙ外方に向かって凸の曲線状となっている。そして、一対の前方中高圧搾溝７１ｂ，７１ｂが、それぞれ、横方向Ｙ内方に向かって凸の曲線状となっている。また、一対の後方中高圧搾溝７２ｂ，７２ｂが、それぞれ、横方向Ｙ内方に向かって凸の曲線状となっている。好適に、各前方中高圧搾溝７１ｂは、前方区域Ａ側の境界部分ＢＬから排泄対向区域Ｂにおける中心位置ＣＰに向かって延びる部分を有し、該延びる部分から連続して、横方向Ｙ内方に向かって凸の曲線状となっている部分を有している。また、各後方中高圧搾溝７２ｂは、後方区域Ｃ側の境界部分ＢＬから排泄対向区域Ｂにおける中心位置ＣＰに向かって延びる部分を有し、該延びる部分から連続して、横方向Ｙ内方に向かって凸の曲線状となっている部分を有している。このように、図６に示すナプキン１では、一対の前方中高圧搾溝７１ｂ，７１ｂ及び一対の後方中高圧搾溝７２ｂ，７２ｂが横方向Ｙ内方に向かって凸の曲線状となっているので、着用中に、一対の前方中高圧搾溝７１ｂ，７１ｂの頂部７１ｂ１，７１ｂ１及び一対の後方中高圧搾溝７２ｂ，７２ｂの頂部７２ｂ１，７２ｂ１を起点に縦方向Ｘの折れを誘導し易く、吸収性コア４１の境界部分ＢＬでの折れ曲がりを抑制することができる。
【００７８】
横方向Ｙ内方に向かって凸の曲線状を描く一対の前方中高圧搾溝７１ｂ，７１ｂの頂部７１ｂ１，７１ｂ１、及び横方向Ｙ内方に向かって凸の曲線状を描く一対の後方中高圧搾溝７２ｂ，７２ｂの頂部７２ｂ１，７２ｂ１の少なくとも一方は、一方のウイング部１Ｗの縦方向Ｘに沿う付け根と他方のウイング部１Ｗの縦方向Ｘに沿う付け根とに挟まれた領域Ｔの内側に配されていることが好ましく、第２実施形態のナプキン１では、図６に示すように、一対の前方中高圧搾溝７１ｂ，７１ｂの頂部７１ｂ１，７１ｂ１及び一対の後方中高圧搾溝７２ｂ，７２ｂの頂部７２ｂ１，７２ｂ１が領域Ｔの内側に配されている。このように、図６に示すナプキン１では、一対の前方中高圧搾溝７１ｂ，７１ｂの頂部７１ｂ１，７１ｂ１と一対の後方中高圧搾溝７２ｂ，７２ｂの頂部７２ｂ１，７２ｂ１とが領域Ｔの内側に配されているので、ウイング部１Ｗにより着衣のクロッチ部に固定されたナプキン１を使用する場合に、一対の前方中高圧搾溝７１ｂ，７１ｂの頂部７１ｂ１，７１ｂ１及び一対の後方中高圧搾溝７２ｂ，７２ｂの頂部７２ｂ１，７２ｂ１を起点に縦方向Ｘに折れて、中高部４２が肌に向かって凸の形状に変形することを更に誘導し易く、加えて、その形状が外力で潰されることなく維持されやすいため、吸収性コア４１の境界部分ＢＬでの折れ曲がりを抑制することができる。
【００７９】
また、一方のウイング部１Ｗの縦方向Ｘに沿う付け根と他方のウイング部１Ｗの縦方向Ｘに沿う付け根とに挟まれた領域Ｔの内側に、吸収性コア４１における中高部４２と中高部４２以外の部分との前方区域Ａ側の境界部分ＢＬと一対の前方圧搾溝７１，７１とが交差している交点ＩＰ，ＩＰ、及び後方区域Ｃ側の境界部分ＢＬと一対の後方圧搾溝７２，７２とが交差している交点ＩＰ，ＩＰが配されていることが好ましく、第２実施形態のナプキン１では、図６に示すように、領域Ｔの内側に、前方区域Ａ側の交点ＩＰ，ＩＰ及び後方区域Ｃ側の交点ＩＰ，ＩＰが配されている。このように、図６に示すナプキン１では、領域Ｔの内側に、前方区域Ａ側の交点ＩＰ，ＩＰ及び後方区域Ｃ側の交点ＩＰ，ＩＰが配されているので、ウイング部１Ｗにより着衣のクロッチ部にナプキン１全体を固定し易く、吸収性コア４１の境界部分ＢＬ及びその近傍での不測の折れ曲がりを抑制することができる。
【００８０】
第２実施形態のナプキン１では、図６に示すように、線状圧搾溝７は、前方区域Ａに横方向Ｙに延びる前方横圧搾溝７３ａと、後方区域Ｃに横方向Ｙに延びる後方横圧搾溝７３ｃとを有している。前方横圧搾溝７３ａ及び後方横圧搾溝７３ｃは、それぞれ、縦方向Ｘ外方に向かって凸の曲線状となっている。第２実施形態のナプキン１では、線状圧搾溝７は、一対の前方圧搾溝７１，７１の間に前方横圧搾溝７３ａが配され、前方横圧搾溝７３ａの端と前方圧搾溝７１の端とが繋がっており、一対の後方圧搾溝７２，７２の間に後方横圧搾溝７３ｃが配され、後方横圧搾溝７３ｃの端と後方圧搾溝７２の端とが繋がっている。第２実施形態のナプキン１では、前方横圧搾溝７３ａの両端が、それぞれ、前方圧搾溝７１の前方区域側圧搾溝７１ａの前方区域Ａ側の端と繋がっており、後方横圧搾溝７３ｃの両端が、それぞれ、後方圧搾溝７２の後方区域側圧搾溝７２ｃの後方区域Ｃ側の端とが繋がっている。第２実施形態のナプキン１は、前方区域Ａ側の一対の前方圧搾溝７１，７１及び前方横圧搾溝７３ａが繋がった形状と、後方区域Ｃ側の一対の後方圧搾溝７２，７２及び後方横圧搾溝７３ｃが繋がった形状と同じ大きさの同じ形状となっている。このように、図６に示すナプキン１では、縦方向Ｘ外方に向かって凸の曲線状の前方横圧搾溝７３ａ及び後方横圧搾溝７３ｃが、それぞれ、前方圧搾溝７１及び後方圧搾溝７２と繋がっているので、縦方向Ｘへの体液の流れを防止することができる。
【００８１】
本発明の吸収性物品は、上述の第１〜第２実施形態のナプキン１に何ら制限されるものではなく、適宜変更可能である。また、上述の第１〜第２実施形態のナプキン１における各構成要件は、本発明の趣旨を損なわない範囲で、適宜組み合わせて実施できる。
【００８２】
例えば、第１〜第２実施形態のナプキン１では、図１及び図６に示すよう平面視して、横方向Ｙに延びる吸収性物品の二等分線である横中心線ＣＬ２に対して、一対の前方圧搾溝７１,７１の形状と一対の後方圧搾溝７２,７２の形状とが対称な形状となっているが、第１〜第２実施形態のナプキン１のように、吸収性コア４１の第一領域４１Ｆの形状と第二領域４１Ｒの形状とが、横中心線ＣＬ２に対して、非対称である場合、横中心線ＣＬ２に対して、一対の前方圧搾溝７１,７１の形状と一対の後方圧搾溝７２,７２の形状とが非対称な形状であることが好ましい。言い換えれば、例えば、第２実施形態のナプキン１では、前方区域Ａ側の一対の前方圧搾溝７１，７１及び前方横圧搾溝７３ａが繋がった形状と、後方区域Ｃ側の一対の後方圧搾溝７２，７２及び後方横圧搾溝７３ｃが繋がった形状とが、同じ大きさの同じ形状となっているが、第一領域４１Ｆの形状と第二領域４１Ｒの形状とにそれぞれ合わせて、異なる大きさの異なる形状となっていてもよい。このように第一領域４１Ｆの形状及び第二領域４１Ｒの形状にそれぞれ合わせて、前方区域Ａ側の線状圧搾溝７の形状と、後方区域Ｃ側の線状圧搾溝７の形状とを調整すれば、吸収性コア４１の境界部分ＢＬでの折れ曲がりを更に抑制することができる。具体的に第２実施形態のナプキン１では、図６に示すように平面視して、吸収性コア４１の前方側凸部４２２の頂部４２２ｔ（図２参照）に対応する位置に、縦方向Ｘ外方に向かって凸の曲線状を描く前方横圧搾溝７３ａの頂部が配されているか、又は、吸収性コア４１の後方側凸部４２３の頂部４２３ｔに対応する位置に、縦方向Ｘ外方に向かって凸の曲線状を描く後方横圧搾溝７３ｃの頂部が配されていることが、前記効果を奏する観点から好ましい。
【００８３】
また、第１実施形態のナプキン１では、図１に示すように、一対の前方圧搾溝７１，７１が、中心線ＣＬ１から横方向Ｙ外方に向かって凸の曲線状となっており、一対の後方圧搾溝７２,７２が、中心線ＣＬ１から横方向Ｙ外方に向かって凸の曲線状となっているが、前方圧搾溝７１の形状及び後方圧搾溝７２の形状は、それぞれ、吸収性コア４１の境界部分ＢＬと交差していれば特に限定されず、中心線ＣＬ１に平行に延びる形状であってもよい。
【００８４】
また、ナプキン１の吸収性コア４１における前方側凸部４２２では、図２に示すように、両側辺４２２ｓ，４２２ｓがそれぞれ屈曲せずに、吸収性コア４１の縦方向Ｘに沿う側縁４１ｓから頂部４２２ｔに向かって真っ直ぐに直線状に延びており、前方側凸部４２２の幅ｄが、吸収性コア４１の縦方向Ｘに沿う側縁４１ｓから頂部４２２ｔに向かって連続的に漸減しているが、前方側凸部４２２の幅ｄが単に漸減していれば、段階的に漸減していてもよい。前方側凸部４２２が真っ直ぐに直線状に延びており、前方側凸部４２２の幅ｄが、吸収性コア４１の縦方向Ｘに沿う両側縁４１ｓ，４１ｓから頂部４２２ｔに向かって連続的に漸減していることで、身体へのフィット性の向上に加え、前記積繊装置における前記集積用凹部５５から離型する際の離型性が向上する点から好ましい。後方側凸部４２３も同様である。
【００８５】
また、ナプキン１の第一領域４１Ｆ及び第二領域４１Ｒは、厚みが同じであるが、中高部４２の厚みよりも小さければ、互いに異なる厚みであってもよい。また、ナプキン１の第一領域４１Ｆ及び第二領域４１Ｒは、坪量が同じであるが、中高部４２の坪量よりも小さければ、互いに異なる坪量であってもよい。また、ナプキン１の第一領域４１Ｆ及び第二領域４１Ｒは、溝部４５及び小吸収部４６を有しているが、有していなくてもよく、異なる形状の溝部４５及び小吸収部４６を有していてもよい。
【００８６】
また、ナプキン１では、排泄対向区域Ｂ内に中高部４２を有しているが、排泄対向区域Ｂから前方区域Ａ側又は後方区域Ｃ側の一部にまで延在していてもよい。例えば、前方側凸部４２２が排泄対向区域Ｂの中高中央部４２１から前方区域Ａ内にまで延在しており、後方側凸部４２３が排泄対向区域Ｂの中高中央部４２１から後方区域Ｃ内にまで延在していてもよい。このように中高部４２が排泄対向区域Ｂから前方区域Ａ側又は後方区域Ｃ側にまで延在している場合、中高部４２は、前方区域Ａ又は後方区域Ｃにおける中高部４２の外周域の部分と比較して厚みが厚くなっている。
【００８７】
また、ナプキン１の吸収性コア４１は、その全体が一体成形されているが、一体成形されていなくてもよい。例えば、吸収性コア４１において、第一領域４１Ｆから第二領域４１Ｒに亘って同じ高さにコア材料で形成しておき、次に、別のコア材料で形成されたものを配置して中高部４２を形成してもよい。
【００８８】
また、ナプキン１は、図１に示すように、肌側シート２の肌対向面における縦方向Ｘに沿う両側部に、サイドシート５を配しているが、サイドシート５の自由端部に、縦方向Ｘに伸長状態の弾性部材を配して防漏カフを形成していてもよい。
【００８９】
また、ナプキン１の吸収性コア４１は、溝部４５を肌対向面側から非肌対向面側に向かって窪むように形成しているが、溝部４５を非肌対向面側から肌対向面側に向かって窪むように形成してもよい。これにより、液拡散性及び液保持性が向上する。
【００９０】
また、本発明の吸収性物品は、生理用ナプキンの他、パンティライナー（おりものシート）、失禁パッド等であってもよい。
【符号の説明】
【００９１】
１  生理用ナプキン（吸収性物品）
Ａ  前方区域
Ｂ  排泄対向区域
Ｃ  後方区域
２  肌側シート
３  非肌側シート
４  吸収体
４１  吸収性コア
４１Ｆ  吸収性コアの第一領域
４１Ｍ  吸収性コアの中間領域
４１Ｒ  吸収性コアの第二領域
４２  中高部
４２１  中高中央部
４２２  前方側凸部
４２３  後方側凸部
４３  中高境界溝部
４４  中高隣接部
４５  溝部
４６  小吸収部
ＢＬ  中高部と中高部以外の部分との境界部分
５  サイドシート
６  接合部
７  線状圧搾溝
７１  前方圧搾溝
７１ａ  前方区域側圧搾溝
７１ａ１  頂部
７１ｂ  前方中高圧搾溝
７２  後方圧搾溝
７２ｃ  後方区域側圧搾溝
７２ｃ１  頂部
７２ｂ  後方中高圧搾溝
７Ｎ  非溝部分
７３ａ  前方横圧搾溝
７３ｃ  後方横圧搾溝
Ｔ  領域
ＩＰ  交点
【図１】
2018068440.tif 000003
【図２】
2018068440.tif 000004
【図３】
2018068440.tif 000005
【図４】
2018068440.tif 000006
【図５】
2018068440.tif 000007
【図６】
2018068440.tif 000008